(57)【特許請求の範囲】
【請求項１】
対向する一対のガイド面を有するカム溝を内周面に形成した内面カム環；
該内面カム環の内側に相対回転可能に支持され、上記カム溝に移動可能に嵌まる第１のカムフォロアを有するレンズ支持環；
該レンズ支持環に光軸方向の相対移動は可能で相対回転不能に装着した、上記カム溝に移動可能に嵌まる第２のカムフォロアを有する付勢環；及び
上記レンズ支持環と付勢環を光軸方向の離間方向に付勢し、上記第１のカムフォロアと上記第２のカムフォロアを上記カム溝の別々の対向ガイド面に当接させる付勢部材；
を備え、
上記カム溝はテレ端とワイド端の間で使用するズーム区間溝部と、該ズーム区間溝部に連続し撮影準備段階で使用する撮影状態移行溝部を有し、
上記第１のカムフォロアと第２のカムフォロアは、ズーム区間溝部内よりも撮影状態移行溝部内の方が、光軸方向の相対間隔が拡大することを特徴とするズームレンズ鏡筒。
【請求項２】
請求項１記載のズームレンズ鏡筒において、上記ズーム区間溝部は円周方向成分のみからなる溝部であり、上記撮影状態移行溝部は光軸方向成分と円周方向成分を含む溝部であり、
上記第１のカムフォロアと第２のカムフォロアは、円周方向に位置を異ならせてカム溝に嵌まっていることを特徴とするズームレンズ鏡筒。
【請求項３】
請求項１または２記載のズームレンズ鏡筒において、上記第１のカムフォロアは上記カム溝の光軸前方側の対向ガイド面に付勢され、上記第２のカムフォロアは上記カム溝の光軸後方側の対向ガイド面に付勢されていることを特徴とするズームレンズ鏡筒。
【請求項４】
請求項１ないし３のいずれか１項記載のズームレンズ鏡筒において、上記第１のカムフォロアは上記レンズ支持環の外周面の光軸方向後端部に設けられ、該第１のカムフォロアの基部に上記付勢環に形成した切欠部が嵌合することを特徴とするズームレンズ鏡筒。
【請求項５】
請求項１ないし４のいずれか１項記載のズームレンズ鏡筒において、上記第１のカムフォロアと第２のカムフォロアはそれぞれ、上記カム溝の一方の対向ガイド面に当接するとき他方の対向ガイド面とは非接触であることを特徴とするズームレンズ鏡筒。
【請求項６】
請求項１ないし５のいずれか１項記載のズームレンズ鏡筒において、上記内面カム環はカメラボディに固定された固定筒であり、
該固定筒に光軸方向の相対移動は不能で回転可能に支持され、上記レンズ支持環を回転させる回転伝達環を備えていることを特徴とするズームレンズ鏡筒。
【請求項７】
請求項６記載のズームレンズ鏡筒において、上記回転伝達環は、上記レンズ支持環と上記付勢環の両方に相対回転不能に係合していることを特徴とするズームレンズ鏡筒。
【請求項８】
請求項１ないし７のいずれか１項記載のズームレンズ鏡筒において、上記付勢部材は、上記レンズ支持環と上記付勢環の間に配した圧縮ばねからなることを特徴とするズームレンズ鏡筒。
【発明の詳細な説明】
【０００１】
【技術分野】
本発明は、ズームレンズ鏡筒に関し、特にカム溝とカムフォロアによるガイド構造を有するズームレンズ鏡筒に関する。
【０００２】
【従来技術及びその問題点】
レンズ鏡筒における鏡筒構成部材の移動機構としてカムフォロアとカム溝によるガイド構造を用いたものでは、レンズ位置精度を出すために、カムフォロアとカム溝の遊び（バックラッシュ）を取る様々なバックラッシュ除去手法が提案されている。最も単純には、カム溝とカムフォロアの間にカムフォロアの移動を許す必要最小限のクリアランスだけを設け、バックラッシュを考慮しないで済む程度まで精度を詰めればよいが、このような精度でカム溝とカムフォロアを形成するのは、コストや手間の点で実質的に難しい。
【０００３】
カム溝が全域に亘って光軸方向成分と円周方向成分を含む傾斜溝である場合には、カムフォロアを有する鏡筒部材またはカム溝を有する鏡筒部材の正転、反転を適宜制御して、カムフォロアを挟むカム溝の一対ガイド面のうち、カムフォロアを常に一方のガイド面に当接させて精度を出すことが考えられる。しかし、この手法は、光軸方向成分を含まない（円周方向成分のみの）カム溝部分内に位置するカムフォロアのバックラッシュ取りに用いることができない。
【０００４】
別の態様として、ばね等の付勢手段を用いたバックラッシュ取りが知られているが、従来のものは構造の簡略化と小型化が難しかった。例えば、ばね等の付勢手段周りには、その付勢力の反力を受ける受け部が必要であるが、従来装置ではこの受け部を独立して設けていたので、レンズ鏡筒が大型になりがちであった。また、従来の付勢手段によるバックラッシュ取りは、レンズ鏡筒の使用状態、非使用状態に関係なく同じ付勢力を付与していたため、ズームレンズの収納状態からズーム区間への移行途中など、厳密なバックラッシュ取りを行う必要がないときにも大きなフリクションがかかり、駆動抵抗となっていた。
【０００５】
また別の問題として、外部からの衝撃によりカムフォロアがカム溝のガイド面に衝突すると、ガイド面に打痕などの損傷が生じて、その後円滑なガイドを行えなくなってしまう。
【０００６】
【発明の目的】
本発明は、簡単かつ小型な構造でありながら、カムフォロアとカム溝の間のバックラッシュ取りを確実に行え、かつさらにズーム区間以外ではカムフォロアとカム溝の間のフリクションを小さくできるズームレンズ鏡筒を提供することを目的とする。
【０００７】
【発明の概要】
本発明のズームレンズ鏡筒は、対向する一対のガイド面を有するカム溝を内周面に形成した内面カム環；この内面カム環の内側に相対回転可能に支持され、カム溝に移動可能に嵌まる第１のカムフォロアを有するレンズ支持環；このレンズ支持環に光軸方向の相対移動は可能で相対回転不能に装着した、カム溝に移動可能に嵌まる第２のカムフォロアを有する付勢環；及び、レンズ支持環と付勢環を光軸方向の離間方向に付勢し、第１のカムフォロアと第２のカムフォロアを上記カム溝の別々の対向ガイド面に当接させる付勢部材；を備え、カム溝はテレ端とワイド端の間で使用するズーム区間溝部と、該ズーム区間溝部に連続し撮影準備段階で使用する撮影状態移行溝部を有し、第１のカムフォロアと第２のカムフォロアは、ズーム区間溝部内よりも撮影状態移行溝部内の方が、光軸方向の相対間隔が拡大することを特徴としている。
【０００８】
具体的には、カム溝のズーム区間溝部を円周方向成分のみからなる溝部とし、撮影状態移行溝部を光軸方向成分と円周方向成分を含む溝部とし、第１のカムフォロアと第２のカムフォロアは、円周方向に位置を異ならせてカム溝に嵌まるように構成するとよい。
【０００９】
レンズ支持環に設けた第１カムフォロアは、カム溝の光軸前方側の対向ガイド面に付勢され、付勢環に設けた第２カムフォロアは、カム溝の光軸後方側の対向ガイド面に付勢されていることが好ましい。
【００１０】
第１のカムフォロアはレンズ支持環の外周面の光軸方向後端部に設けられ、該第１のカムフォロアの基部に対して付勢環に形成した切欠部を嵌合させることが好ましい。
【００１１】
第１のカムフォロアと第２のカムフォロアはそれぞれ、カム溝の一方の対向ガイド面に当接するとき他方の対向ガイド面とは非接触であることが望ましい。
【００１２】
本発明のズームレンズ鏡筒は例えば、内面カム環はカメラボディに固定された固定筒であり、該固定筒に光軸方向の相対移動は不能で回転可能に支持され、レンズ支持環を回転させる回転伝達環を備えた構成することができる。この場合、回転伝達環が、レンズ支持環と付勢環の両方に相対回転不能に係合していることが好ましい。
【００１３】
付勢部材は、例えばレンズ支持環と付勢環の間に配した圧縮ばねとすることができる。
【００１４】
【発明の実施の形態】
［ズームレンズ鏡筒の全体の説明］
図示実施形態は、デジタルスチルカメラ用ズームレンズ鏡筒に本発明を適用した実施形態である。本実施形態のレンズ系は、図８ないし図１１に明らかなように、物体側から順に、第１レンズ群Ｌ１、第２レンズ群Ｌ２及び第３レンズ群Ｌ３を有する３群タイプであり、第１レンズ群Ｌ１、第２レンズ群Ｌ２が空気間隔を変化させながら光軸上を移動してズーミングがなされ、第３レンズ群Ｌ３によりフォーカシングがなされる。
【００１５】
本ズームレンズ鏡筒において、カメラボディに固定される要素（光軸方向の直進運動も回転運動もしない部材）は、図１および図３に示す固定筒１１、シャフト押さえ１２、ＣＣＤ支持枠１３、ローパスフィルタ１４、パッキン１５、ＣＣＤ１６、ＣＣＤ押さえ板１７である。固定筒１１は、ネジを介してカメラボディ（図示略）に固定されるものである。固定筒１１は、内周面にカム溝１１ａ（周方向に等角度（１２０°）間隔で３本）が形成された外周筒状部１１ｂと、樋状のギヤ収納部１１ｃとを有しており、外周筒状部１１ｂの内面には後述する第２鏡筒の直進案内キー２７ａが係合する光軸と平行な直進案内溝１１ｄが、周方向に等角度（１２０°）間隔で３本形成されている。縦置き型のモータ１８の回転軸に連係された減速用のギヤ列ユニット１９の駆動ギヤ１９ａはギヤ収納部１１ｃに載置され、かつ固定筒１１の上面に形成された貫通孔（図示略）を通って固定筒１１の内部に突出している。
【００１６】
固定筒１１の後面にネジを介して取り付けられるＣＣＤ支持枠１３の後面には、ローパスフィルタ１４、パッキン１５、ＣＣＤ１６が、ＣＣＤ押さえ板１７を介して固定されている。
【００１７】
固定筒１１内部の後端には、周面に駆動ギヤ１９ａと噛合するギヤ部２０ａが形成された環状の回転環２０が、光軸回りに回転自在かつ光軸方向に移動不能に配設されており、回転環２０の前面には、周方向に等角度（１２０°）間隔で３本の回転伝達腕２０ｂが前向きに突設されている。
回転伝達腕２０ｂの内面には、光軸と平行な方向を向く回転伝達溝２０ｃが形成されている。
【００１８】
固定筒１１の内部には、回転環２０の前方に位置するカム環２２が配設されている。図１２に示すように、カム環２２の外周面の後端部には、後端が開口し、回転伝達腕２０ｂとほぼ補形をなすとともに、回転伝達腕２０ｂの板厚と同じ深さの３つの嵌合用凹部２２ａと、環状壁２３が形成されており、環状壁２３の下面と嵌合用凹部２２ａとの間にはスリットＳ（図１５参照）が形成されている。環状壁２３の前面には、周方向に長く、かつ断面形状がＬ字形をなすバヨネット爪２４が形成されており、バヨネット爪２４の下面と嵌合用凹部２２ａの間にもスリットＳ（図１５参照）が形成されている。また、各嵌合用凹部２２ａには、回転環２０の回転伝達溝２０ｃに嵌まる光軸と平行方向を向く短寸のキー突起２２ｂが形成されており、さらにカム環２２の外周面の後端部には、周方向に等角度（１２０°）間隔で３本のフォロアピン２２ｆが突設されており、固定筒１１の３本のカム溝１１ａにそれぞれ嵌合している。
【００１９】
回転環２０の各回転伝達腕２０ｂは、カム環２２の嵌合用凹部２２ａに光軸方向に摺動自在に嵌合するとともに、回転伝達溝２０ｃがキー突起２２ｂに係合しており、嵌合用凹部２２ａの外径側に位置する環状壁２３により、各回転伝達腕２０ｂが嵌合用凹部２２ａから径方向外向きに抜け出すのが防止されている。
【００２０】
また、図３に示すように、カム環２２には環状壁２３の後面側に環状をなす付勢環２１が光軸方向に摺動自在に嵌合しており、付勢環２１の内周面に形成された３つの凹部２１ａが、回転環２０の３本の回転伝達腕２０ｂに摺動自在に嵌合している。付勢環２１の外周面には、等角度（１２０°）間隔でそれぞれ、３つの切欠部２１ｂ（図３参照）と３つのフォロアピン２１ｆが形成されている。この切欠部２１ｂにはカム環２２のフォロアピン２２ｆが嵌合する。
さらに、付勢環２１の前面には、周方向に等角度（１２０°）間隔で設けられた互いに対向する３本の突起２１ｃが、カム環２２背面には２１ｃに対応する位置に有底のばね支持孔（図示略）がそれぞれ設けられており、付勢環２１とカム環２２の対向する有底のばね支持孔の間には圧縮ばね２６が縮設されている。この圧縮ばね２６により、カム環は光軸方向前方に、付勢環は光軸方向後方に互いに付勢される。
【００２１】
図２９に示すように、付勢環２１とカム環２２の３本のフォロアピン２１ｆ、２２ｆは、互いに周方向に位置を若干異ならせた状態で、固定筒１１の３本のカム溝１１ａに嵌合している。カム溝１１ａは、カメラボディ側の端部に形成された、光軸と平行な方向の直線溝部１１ａ１と、円周方向成分のみからなる収納部１１ａ２と、光軸方向成分と周方向成分を含む撮影状態移行溝部１１ａ３と、円周方向成分のみからなるズーム区間溝部１１ａ４とを有しており、フォロアピン２１ｆ、２２ｆは、直線溝部１１ａ１からカム溝１１ａに嵌合される。
【００２２】
フォロアピン２１ｆ、２２ｆが収納部１１ａ２に嵌まっている状態（収納位置、カム環２２が最も後退している状態）においてモータ１８が正転すると、回転環２０が回転する。すると、回転伝達腕２０ｂの回転伝達溝２０ｃとカム環２２のキー突起２２ｂとのキー結合により、回転環２０の回転力がカム環２２に伝達され、回転環２０、付勢環２１およびカム環２２が光軸回りに一体となって回転する。モータ１８が回転し続けると、フォロアピン２１ｆ、２２ｆ（付勢環２１、カム環２２）は、収納部１１ａ２から撮影状態移行溝部１１ａ３に移動し、回転しながら光軸方向前方に進み、モータ１８がさらに回転を続けると、フォロアピン２１ｆ、２２ｆはズーム区間溝部１１ａ４に移動し、ズーム区間溝部１１ａ４に従って光軸方向に移動することなく回転する。
【００２３】
フォロアピン２１ｆ、２２ｆがともに収納部１１ａ２に位置している場合は、図１３に示すように、回転伝達腕２０ｂ全体が嵌合用凹部２２ａに嵌合し、回転環２０のギヤ部２０ａの前面が付勢環２１の後面に当接している収納状態にあるが、フォロアピン２１ｆ、２２ｆが撮影状態移行溝部１１ａ３、ズーム区間溝部１１ａ４に移行すると、回転環２０を固定筒１１の後端部に残したまま、図１４に示すように、カム環２２と付勢環２１が一体となって前方に移動して撮影状態に移行する。
なお、モータ１８が逆転すると、フォロアピン２１ｆ、２２ｆはズーム区間溝部１１ａ４側から収納部１１ａ２側に向かって上記と反対の運動をし、かつ、回転環２０、付勢環２１、カム環２２が図１４の撮影状態から図１３の収納状態に移行する。
【００２４】
本実施形態のズームレンズ鏡筒において、回転する部材は、回転環２０、付勢環２１とカム環２２及び後述するバリヤ開閉環４４であり、他の部材は、回転することなく、光軸方向に直進移動のみする（但し、後述するように２群移動枠３１は僅かに回転する）。次にこれらの直進部材とその案内機構を説明する。
【００２５】
図８に示すように、固定筒１１とカム環２２の間には、外径側から順に、第２鏡筒２７と第１鏡筒２８が位置している。固定筒１１のすぐ内側に位置する第２鏡筒２７の内周面後端部にはバヨネット爪２７ｃ（図８参照）が形成されており、このバヨネット爪がカム環２２のバヨネット爪２４に結合しており、この結果、第２鏡筒２７はカム環２２に対して、光軸方向に相対移動不能かつ光軸回りに相対回転可能となっている。
また、図１に示すように、第２鏡筒２７の外周面後端部には、径方向外方に突出する直進案内キー２７ａ（周方向に等角度（１２０°）間隔で３本）が形成されており、この直進案内キー２７ａが固定筒１１の直進案内溝１１ｄに係合することで、第２鏡筒２７が固定筒１１に対して光軸方向に直進案内される。
【００２６】
また、第２鏡筒２７の内周面には、光軸と平行な直進案内溝２７ｂ（周方向に等角度（１２０°）間隔で３本）が形成されており、第１鏡筒２８の外周面後端部に設けられた短寸円柱状の係合突起２８ａ（周方向に等角度（１２０°）間隔で３つ）がそれぞれ摺動自在に嵌合することで、第１鏡筒２８が第２鏡筒２７に対して光軸方向に直進案内される。尚、係合突起２８ａに穿設された穴には、第１鏡筒２８の内周側に突出するフォロアピン２８ｆが圧入されている。
【００２７】
さらに、第１鏡筒２８の内周面の前部には内方フランジ２８ｂが形成されており、後述するバリヤ開閉環４４が固定されている。そして、その内方フランジ２８ｂの後端面には、１群固定枠３２を介して第１レンズ群Ｌ１を支持している１群移動枠２９をその内周で光軸方向に摺動自在に支持する１群移動枠案内部材２８ｅ（図８参照）が設けられている。すなわち、１群移動枠２９の外周面の前端部に形成された光軸と平行な直進案内溝２９ａ（周方向に等角度（１２０°）間隔で３本）が、１群移動枠案内部材２８ｅの内周面に形成された光軸と平行な３本の直進案内キー２８ｄに摺動自在に嵌合することで、１群移動枠２９が第１鏡筒２８に光軸方向に直進案内される。また、第１鏡筒２８の内方フランジ２８ｂの後面には、ばね支持用突起２８ｃ（図８ないし図１１参照）が周方向に等角度（１２０°）間隔で３つ突設されており、１群移動枠２９の前面には、ばね支持用突起２８ｃと対応する有底のばね支持孔２９ｂが周方向に等角度（１２０°）間隔で３つ穿設されており、そのばね支持用突起２８ｃとばね支持孔２９ｂの間に３本の圧縮ばね３０を縮設することで、１群移動枠２９を光軸方向後方に付勢している。
【００２８】
１群移動枠２９の内面には、第２レンズ群Ｌ２を支持している２群移動枠３１が嵌まっている。この２群移動枠３１の前端部外周には、１群移動枠２９の内周面に４本形成された光軸と平行な方向を向く直進案内溝２９ｃ（図２２参照）のうちの３本にそれぞれ嵌まる３つの直進案内キー３１ａが形成されており（図２参照）、これらの嵌合関係により、２群移動枠２９が１群移動枠２８に光軸方向に直進案内されることとなる
【００２９】
以上の嵌合関係及び直進案内関係は、外周側から順に、第２鏡筒２７が固定筒１１に光軸方向に直進案内され、第１鏡筒２８が第２鏡筒２７に光軸方向に直進案内され、１群移動枠２９が第１鏡筒２８に光軸方向に直進案内され、２群移動枠２９が１群移動枠２８に光軸方向に直進案内されている関係と捕らえることができる。
【００３０】
図１に示すように、１群移動枠２９には、第１レンズ群Ｌ１を固定した１群固定枠３２を螺合する雌ねじ部２９ｄが形成されており、１群固定枠３２の後面にはレンズ押さえ枠３２ａが固着されている。１群固定枠３２の雌ねじ部２９ｄに対する螺合位置は組立時に調整され、調整後に接着固定される。
また、図２に拡大して示すように、２群移動枠３１の後壁の中央部には、前後両面が開口する円筒部３１ｂが設けられており、円筒部３１ｂの周囲には環状凹部３１ｃが形成されている。円筒部３１ｂの内部には、第２レンズ群Ｌ２とその支持部材３３が嵌合固定されている。また、図５および図７に示すように２群移動枠３１の後面には円弧状の第１の切欠部３１ｄが形成されており、さらに後面と外周壁とにまたがる部分には第１の切欠部３１ｄより大寸の第２の切欠部３１ｅが形成されている。
【００３１】
図２に示すように、シャッタ支持環３５は、環状部３５ａの前面にシャッタブロック３６を支持するための支持部材３５ｂが突設され、かつ、環状部３５ａの後面には後述のフレキ固定部材３５ｃが突設されたものであり、その中心孔３５ｄが円筒部３１ｂに嵌合し、かつ、フレキ固定部材３５ｃが第１の切欠部３１ｄを後方に貫通した状態で、環状凹部３１ｃに光軸回りに回転自在に遊嵌している。尚、支持部材３５ｂの底部に設けられた直進案内キー３５ｅは、１群移動枠２９の内周面の４本の直進案内溝２９ｃのうちの、２群移動枠３１の直進案内キー３１ａが係合していない残りの１本に、光軸と平行な方向に摺動自在に嵌合している。すなわち、１群移動枠２９が光軸回りに回転不能となっているので、シャッタ支持環３５も光軸回りに回転不能である。
【００３２】
支持部材３５ｂの上面にはシャッタブロック３６が載置されており、シャッタブロック３６と環状部３５ａは２本のネジにより固定されている。
そして、２群移動枠３１の外周壁の前端部に、周方向に並べて穿設された３つの係止孔３１ｉには、正面視略環状をなすシャッタ押さえ環３７の外周面に突設された３つの係合片３７ａが弾性係合しており、このシャッタ押さえ環３７が２群移動枠３１の前面を塞ぐ（図４および図６参照）ことにより、シャッタ支持環３５とシャッタブロック３６が環状凹部３１ｃから前方に抜け出さないようになっている。
尚、シャッタ押さえ環３７の前面には、四フッ化エチレン樹脂等の低摩擦材料からなる環状の滑りシート３８が、その周縁部を、シャッタ押さえ環３７の前面と爪部３７ｂと間に挟み込むことにより、固定されている。
【００３３】
上記のシャッタブロック３６は、シャッタブレード３６ａ（図１参照）を被写体輝度情報に応じて開閉する。シャッタブロック３６に対して動作信号を与えるフレキシブルプリント基板（ＦＰＣ基板）Ｆは、図８ないし図１１に示すように、シャッタブロック３６からフレキ固定部材３５ｃの上面に沿って光軸方向後方に導かれた後、フレキ固定部材３５ｃの下面に沿って光軸方向前方に折り返され、フレキ固定部材３５ｃにテープ等により接着された後、再び後方に導かれ、ＣＣＤ支持枠１３に設けられた切欠孔１３ａ（図１参照）からＣＣＤ支持枠１３の後面側に導かれ、さらに固定筒１１の上面側に導かれている。尚、２群移動枠３１の後面には、ＦＰＣ基板の弛みを支持するためのＦＰＣ支持部材３１ｊ（図８参照）が設けられている。
【００３４】
第３レンズ群Ｌ３は、３群枠３９に固定されている。３群枠３９は、図１に示すように、一端部がシャフト押え１２に固定され他端部がＣＣＤ支持枠１３に固定された一対の直進案内ロッド４０、４０に沿って光軸方向に移動自在に保持されており、ステッピングモータ（図示略）により正逆に回転駆動される送りねじ４１によって、被写体距離情報に応じて光軸方向に移動制御される。
【００３５】
ズーミングは、第１レンズ群Ｌ１（１群移動枠２９）、第２レンズ群Ｌ２（２群移動枠３１）を互いの空気間隔を変化させながら光軸方向に進退させて行う。カム環２２の内面には、レンズ群用カム溝Ｃ１（周方向に等角度（１２０°）間隔で３本）が形成されており、上述した直進案内関係によって回転を拘束されて光軸方向移動のみ可能な１群移動枠２９と２群移動枠３１は、このレンズ群用カム溝Ｃ１によって、カム環２２の回転に伴って光軸方向に移動する。図２１は、このカム環２２の内周面に形成されたレンズ群用カム溝Ｃ１の展開形状を示すものである。このレンズ群用カム溝Ｃ１は、有底の連続したプロフィル内に、第１レンズ群Ｌ１用と第２レンズ群Ｌ２用のカムプロフィルを形成した点、及び第１レンズ群Ｌ１と第２レンズ群Ｌ２の収納位置では、第１レンズ群Ｌ１と第２レンズ群Ｌ２を自由にし、鏡枠同士が当接する位置まで接近させて収納することを可能とした点に特徴がある。
【００３６】
すなわち、１群移動枠２９（第１レンズ群Ｌ１）の外周面に突出形成した１群用フォロアピン２９ｆと、２群移動枠３１（第２レンズ群Ｌ２）の外周面に突出形成した２群用フォロアピン３１ｆはともに、レンズ群用カム溝Ｃ１内に嵌まっている。連続した１本の溝であるレンズ群用カム溝Ｃ１は、第１レンズ群Ｌ１と第２レンズ群Ｌ２を独立した軌跡で移動させる機能を有する。従来のレンズ鏡筒では、独立した軌跡で移動させるレンズ群の数だけ、独立したカム溝を必要としていた。
【００３７】
図２１に示すように、本実施形態のレンズ群用カム溝Ｃ１は、１群用フォロアピン２９ｆ、２群用フォロアピン３１ｆの挿入端部Ｃ１ｅから順に、１群用ズーム区間Ｃ１Ｚ１、２群用ズーム区間Ｃ１Ｚ２、１群用収納広場Ｃ１Ａ１、２群用リード部Ｃ１Ａ２とを有する。１群用ズーム区間Ｃ１Ｚ１の両端部は、１群用テレ位置Ｚ１Ｔと１群用ワイド位置Ｚ１Ｗ、２群用ズーム区間Ｃ１Ｚ２の両端部は、２群用テレ位置Ｚ２Ｔと２群用ワイド位置Ｚ２Ｗである。なお図２１に示すように、１群移動枠２９と２群移動枠３１が各収納位置からテレ端に至るまでのカム環２２の回転角は、この実施形態では１７８°に設定されており、１群移動枠２９と２群移動枠３１がワイド端からテレ端に至るまでのカム環２２の回転角は７０°に設定されている。
【００３８】
１群用収納広場Ｃ１Ａ１は、図示されているように、光軸と平行な方向（図中上下方向）の溝幅が他の区間の溝に比べて広く形成されていて、１群用フォロアピン２９ｆが自由に移動可能な空間を有している。即ち、１群用収納広場Ｃ１Ａ１は、カム環の周方向に長い形状であり、１群固定枠３２の１群移動枠２９に対する螺合調整寸法だけ、１群用フォロアピン２９ｆが光軸方向に移動可能なクリアランスを有している。また、２群用リード部Ｃ１Ａ２の１群用収納広場Ｃ１Ａ１と反対側の端部である２群用収納部Ｃ１Ｓ２は、２群用フォロアピン３１ｆが嵌った際に、フォロアピン３１ｆがカム環２２の周方向及び光軸方向に若干移動できる程度のクリアランスを有している。また、カム環２２の外周面の展開図である図１７に示すように、前述した嵌合用凹部２２ａは、各鏡筒用カム溝Ｃ２を避けるようにして、カム環２２の外周面に形成されており、その前端部は、鏡筒用カム溝Ｃ２の最も前側に位置する頂点部Ｃ２Ｅの直後に位置している。
【００３９】
１群移動枠２９の１群用フォロアピン２９ｆと２群移動枠３１の２群用フォロアピン３１ｆは、カム環２２の収納回転位置では、１群用収納広場Ｃ１Ａ１と２群用収納部Ｃ１Ｓ２のそれぞれに位置するように（図２１参照）、周方向の位相が定められている。１群用収納広場Ｃ１Ａ１と２群用収納部Ｃ１Ｓ２は、１群用フォロアピン２９ｆと２群用フォロアピン３１ｆを拘束しない。すなわち、１群用フォロアピン２９ｆ、２群用フォロアピン３１ｆは、１群用収納広場Ｃ１Ａ１と２群用収納部Ｃ１Ｓ２内で光軸方向に移動でき、このクリアランスによって、収納長を最小にすることができる。
【００４０】
前述したように、圧縮ばね３０が１群移動枠２９を後方に移動付勢しているので、１群移動枠２９に支持されているレンズ押さえ枠３２ａは、１群用フォロアピン２９ｆと１群用収納広場Ｃ１Ａ１との間に存在するクリアランスによって、シャッタ押さえ環３７前面に設けられた滑りシート３８に当接する機械的位置まで後退できる。この機械的当接位置を図８に符号Ｐで示した。また２群移動枠３１の後面に設けられたＦＰＣ支持部材３１ｊは、２群用フォロアピン３１ｆと２群用収納部Ｃ１Ｓ２との間に存在するクリアランスによって、３群枠３９と当接する機械的位置まで後退できる。この機械的当接位置を図８に符号Ｑで示した。このため、第１レンズ群Ｌ１と第２レンズ群Ｌ２の収納位置をカム溝によって厳密に規定している従来装置に比して、収納長の短縮を図ることができる。さらに、３群枠３９は、送りネジ４１に付いているナットに押し付けているばね４２が縮み、ＣＣＤ支持枠１３と機械的に略接触する位置まで後退できる。この機械的当接位置を図１０に符号Ｒで示した。図８は、これらの１群移動枠２９、２群移動枠３１、３群枠３９及びＣＣＤ支持枠１３が機械的に接触した収納位置を示している。なお、１群固定枠３２の１群移動枠２９に対する位置は、組立時の調整によって前後するため、１群移動枠２９の後方への移動量は、１群固定枠３２の位置に依存する。収納時には、ばね３０により、この調整量は吸収され、ＰＱＲに示す当接位置のできるレンズ鏡筒の収納が可能になる。
【００４１】
また、図２１からわかるように、カム環２２が収納回転位置から撮影位置方向に回動するときには、１群用収納広場Ｃ１Ａ１内にある１群用フォロアピン２９ｆは２群用ズーム区間Ｃ１Ｚ２を通って１群用ズーム区間Ｃ１Ｚ１に至り、２群用フォロアピン３１ｆは２群用リード部Ｃ１Ａ２から１群用収納広場Ｃ１Ａ１を通り２群用ズーム区間Ｃ１Ｚ２に至る。このように、２群用フォロアピン３１ｆ（第２レンズ群Ｌ２）にとっての２群用ズーム区間Ｃ１Ｚ２が、１群用フォロアピン１８ｆ（第１レンズ群Ｌ１）にとっては収納位置から撮影位置（ズーム区間）に至るための単なる通過区間であることが、カム溝の本数を減らして配置を容易にし、傾斜を緩くするために有用である。
【００４２】
第１鏡筒２８は、１群移動枠２９とは独立して、しかし、ほぼ１群移動枠１８と同様の軌跡で、光軸方向に移動する。このため、カム環２２の外周面には、直進案内されている第１鏡筒２８を光軸方向に進退させる鏡筒用カム溝Ｃ２（図１７ないし図２０参照、周方向に等角度（１２０°）間隔で３本）が形成されており、この鏡筒用カム溝Ｃ２に、第１鏡筒２８の内周面に設けられたフォロアピン２８ｆが嵌まる。鏡筒用カム溝Ｃ２の展開形状は、レンズ群用カム溝Ｃ１と酷似しており、図１８に示すように、フォロアピン２８ｆの挿入端部Ｃ２ｅから順に、１群用ズーム区間対応区間Ｃ２Ｚ１、２群用ズーム区間対応区間Ｃ２Ｚ２、及びバリヤ開閉区間Ｃ２Ｂを有する。バリヤ開閉区間Ｃ２Ｂは、円周方向に延びる溝であり、この区間では、カム環２２と第１鏡筒２８とが相対回転だけする。なお図１７に示すように、第１鏡筒２８が収納位置からテレ端に至るまでのカム環２２の回転角は１７８°に設定されており、第１鏡筒２８がワイド端からテレ端に至るまでのカム環２２の回転角は７０°に設定されている。
【００４３】
このように、外観に露出する第１鏡筒２８を１群移動枠２９とは別部材として別のカム機構により光軸方向に案内することにより、第１鏡筒２８に加わる外力が１群移動枠２９から第１レンズ群Ｌ１に伝わるのを防ぎ、第１レンズ群Ｌ１の光軸のずれ等に起因するズームレンズとしての光学性能の悪化を防止できる。また、形状が酷似しているレンズ群用カム溝Ｃ１と鏡筒用カム溝Ｃ２は、カム環２２の厚さを増加させることがなく、しかも、第１鏡筒２８に加わる光軸方向後方への力を１群用フォロアピン２９ｆを介して１群移動枠２９で受けることができる。さらに、鏡筒用カム溝Ｃ２に嵌まるフォロアピン２８ｆと、レンズ群用カム溝Ｃ１に嵌まるフォロアピン２９ｆとが、光軸と平行な方向に並んでいるので、圧縮ばね３０により互いに離隔する方向に移動付勢されている第１鏡筒２８と１群移動枠２９との間に作用するばね力が、カム環２２の相対回転位置によって殆ど変化することがない。
【００４４】
次に図１に示すように、第１鏡筒２８内部の内方フランジ２８ｂの前方には、バリヤ支持枠４５、バリヤ板４６、バリヤ閉ばね４７、及びバリヤ取付板４８からなるバリヤブロック４３が挿入固定され、このバリヤブロック４３と、第１鏡筒２８の内方フランジ２８ｂとの間にはバリヤ開閉環４４が回転自在に支持されている。また、カム環２２の前縁部には切り欠き２２ｋ（図１７〜２１参照）が形成されており、この切り欠き２２ｋの端面は、カム環２２がバリヤ開閉区間Ｃ２Ｂで回転するとき、このバリヤ開閉環４４の被動面４４ａに当接して回転を与える光軸と平行な方向の回転伝達面２２ｄとなっている。尚、この切り欠き２２ｋは、図１７乃至図２１に示すように、カム環２２の鏡筒用カム溝Ｃ２の形成領域を避けた領域に形成されている。
【００４５】
バリヤブロック４３は、図１に示すように、中心部に撮影開口４５ａを有するバリヤ支持枠４５、このバリヤ支持枠４５の後面に突出形成した一対の回転中心ボス４５ｂに回動自在に支持された一対のバリヤ板４６、この一対のバリヤ板４６を閉方向に付勢するバリヤ閉ばね（トーションばね）４７、及びバリヤ支持枠４５との間にバリヤ板４６とバリヤ閉ばね４７を支持するバリヤ取付板４８とからなっていて、予め別ユニットとしてサブアッシされる。
【００４６】
バリヤ開閉環４４は、自身に形成したばね掛け突起４４ｂと、第１鏡筒２８に形成したばね掛け突起２８ｈとの間に張設した、バリヤ閉ばね４７よりばね力が強い引張ばね４９によりバリヤ開方向に回動付勢されている。バリヤ開閉環４４の開閉突起４４ｃは、引張ばね４９による回動付勢端では、バリヤボス４６ａに当接してバリヤ板４６を開く。一方、バリヤ開閉環４４が引張ばね４９の力に抗して回動されると、開閉突起４４ｃがバリヤボス４６ａから離れ、一対のバリヤ板４６は、バリヤ閉ばね４７の力により閉じる。
【００４７】
引張ばね４９の力に抗してバリヤ開閉環４４を回転させるのは、カム環２２に形成した回転伝達面２２ｄである。バリヤ開閉環４４に形成した切り欠き４４ｋの端面は被動面４４ａとなっている。カム環２２が収納位置にあるとき、カム環２２の回転伝達面２２ｄが、第１鏡筒２８の内方フランジ２８ｃに形成された開口（図示略）を通ってバリヤ開閉環４４の被動面４４ａに当接して、バリヤ開閉環４４は引張ばね４９の力に抗して回動され、バリヤ板４６が閉じ、カム環２２がバリヤ開閉区間Ｃ２Ｂ（図１８参照）において第１鏡筒２８に対して相対回転するとき、回転伝達面２２ｄと非接触となり、バリヤ開閉環４４は、引張ばね４９の力によって付勢され、バリヤ板４６が開く。
【００４８】
以上のバリヤブロック４３は、第１鏡筒２８の先端開口部に嵌合され、第１鏡筒２８に設けられたフック（図示略）と係合することにより、第１鏡筒２８から抜け止めされている。そして、このバリヤブロック４３と、第１鏡筒２８の内方フランジ２８ｃとの間にバリヤ開閉環４４を回転自在に支持する。
【００４９】
上述のように、固定筒１１のズーム区間溝部１１ａ４（図２９参照）は、光軸方向成分を持たない円周方向溝であり、付勢環２１とカム環２２のフォロアピン２１ｆ、２２ｆがズーム区間溝部１１ａ４内を移動する撮影領域（ズーム領域）では、カム環２２は回転のみする。この撮影領域においては、カム環２２のフォロアピン２２ｆとズーム区間溝部１１ａ４との間にバックラッシュ（遊び）をとる必要がある。
このため、図２９に示すように、固定筒１１のカム溝１１ａに、カム環２２のフォロアピン２２ｆと付勢環２１のフォロアピン２１ｆを、互いにの周方向位置を若干異ならせて嵌合しており、圧縮ばね２６の付勢力により、カム環２２のフォロアピン２２ｆをカム溝１１ａの光軸方向前側の面に圧接し、付勢環２１のフォロアピン２１ｆをカム溝１１ａの光軸方向後側の面に圧接している。
このようにカム環２２のフォロアピン２２ｆをズーム区間溝部１１ａ４の前側の面に圧接させることにより、撮影領域におけるフォロアピン２２ｆとズーム区間溝部１１ａ４の間のバックラッシュをとることができる。
【００５０】
以上の説明では、１群移動枠２９の内面には、光軸と平行な方向の直進案内溝２９ｃが形成され、２群移動枠３１の先端部外面には、この直進案内溝２９ｃに嵌まる直進案内キー３１ａが形成されているとしたが、以上の構成に加えて、直進案内溝２９ｃの先端部には、図２２に示すように、直進案内溝２９ｃを周方向に拡大した回転許容部２９ｈが形成されており、直進案内キー３１ａ（２群移動枠３１）がこの回転許容部２９ｈ内で光軸回りに回転できる。この２群移動枠３１の回転可能となる領域は、２群移動枠３１が収納位置近傍に達するときであり、以下、このように回転を許す理由を図２２を参照しながら説明する。なお、図１、図２５ないし図２８に示すように、１群移動枠２９の内方フランジ２９ｇには、２群移動枠３１の直進案内キー３１ａが回転許容部２９ｈ内にあるとき（第２レンズＬ２が収納位置近傍にあるとき）、２群移動枠３１の前端部に設けられた、直進案内キー３１ａを含む突出片３１ｇが光軸方向前方に突出する周方向開口２９ｊが形成されている。このように直進案内キー３１ａを内方フランジ２９ｇより前方に突出させることで、収納長の短縮を図ることができる。
【００５１】
いま、レンズが収納されている場合で、図２２（ａ）に示すように、１群用収納広場Ｃ１Ａ１に１群用フォロアピン２９ｆが位置している状態において、カム環２２がレンズ繰出方向（図２２矢印Ｘ方向）に回転すると、図２２（ｂ）に示すように、１群用フォロアピン２９ｆは、１群用収納広場Ｃ１Ａ１から２群用ズーム区間Ｃ１Ｚ２側に若干移動する。この際、カムフォロア３１ｆは、２群用収納部Ｃ１Ｓ２から移動しない。
さらにカム環２２がＸ方向に回転すると、図２２（Ｃ）に示すように、フォロアピン２９ｆがさらに若干光軸方向後方に移動しながら２群用ズーム区間Ｃ１Ｚ２側に移動し、フォロアピン３１ｆは２群用収納部Ｃ１Ｓ２から移動しないため、１群移動枠２９の後部に形成された切欠部２９ｉの後端面が、２群移動枠３１の外周面後端部に形成された、フォロアピン１３ｆを支持する係合突部３１ｈの光軸方向前面に当接する。
【００５２】
さらにカム環２２がＸ方向に回転すると、図２２（ｄ）に示すように、フォロアピン２９ｆが２群用ズーム区間Ｃ１Ｚ２側に後退しながら移動し、１群移動枠２９の切欠部２９ｉの後端面が２群移動枠３１の係合突部３１ｈを光軸方向後方に押圧するので、フォロアピン３１ｆが収納位置Ｃ１Ｓ２から１群用収納広場Ｃ１Ａ１側に向かって２群用リード部Ｃ１Ａ２内を移動する。
カム環２２がＸ方向に回転を続けると、図２２（ｅ）に示すように、フォロアピン２９ｆが２群用ズーム区間Ｃ１Ｚ２に従ってカム環２２に対して左斜め前方に移動し、切欠部２９ｉと係合突部３１ｈの当接が解除される一方、回転許容部２９ｈの後端面が直進案内キー３１ａの後端面に当接する。
【００５３】
さらにカム環２２がＸ方向に回転すると、図２２（ｆ）に示すように、フォロアピン２９ｆが２群用ズーム区間Ｃ１Ｚ２に従ってカム環２２に対して図中左斜め前方に移動し、回転許容部２９ｈの後端面が直進案内キー３１ａを光軸方向前方に押圧するので、フォロアピン３１ｆはカム溝Ｃ１内を再び２群用収納部Ｃ１Ｓ２側に向かって移動し、直進案内キー３１ａが直進案内溝２９ｃの光軸方向前端部近傍に位置する。
【００５４】
以上説明した図２２（ａ）の状態から図２２（ｆ）の状態に至るまでの間、直進案内キー３１ａは回転許容部２９ｈの内部を周方向に回転しており、このように２群移動枠３１を１群移動枠２９に対して相対回転させると、１群移動枠２９は２群移動枠３１と干渉することなく、円滑に前方に移動することができる。なお、図２１に示すように、図２２（ａ）から（ｆ）に至るまでに、２群移動枠３１は周方向に３９°回転する。
【００５５】
さらにカム環２２がＸ方向に回転すると、図２２（ｇ）に示すように、フォロアピン２９ｆが２群用ズーム区間Ｃ１Ｚ２に従ってカム環２２に対して図中左斜め前方に移動するので、直進案内溝２９ｃの内部に直進案内キー３１ａが完全に嵌合し、以後、１群移動枠２９と２群移動枠３１の相対回転が禁止され、フォロアピン２９ｆとフォロアピン３１ｆは周方向距離を一定に保ったまま、カム溝Ｃ１内を図中左方に移動する。
このように直進案内キー３１ａが直進案内溝２９ｃに嵌合した状態で、カム環２２がＸ方向に回転し続けると、図２２（ｈ）〜（ｉ）に示すように、フォロアピン２９ｆとフォロアピン３１ｆがカム溝Ｃ１内を図中左方に移動するに従い、１群移動枠２９と２群移動枠３１は、その光軸方向の相対距離を徐々に変化させながら光軸方向に直進移動し、フォロアピン２９ｆとフォロアピン３１ｆはそれぞれのワイド位置に至る（図２２（ｊ）参照）。
尚、図示は省略したが、カム環２２がＸ方向にさらに回転を続けると、１群移動枠２９と２群移動枠３１のフォロアピン２９ｆとフォロアピン３１ｆは周方向距離を一定に保ったまま、それぞれのテレ位置までカム溝Ｃ１内を移動する。
【００５６】
一方、撮影状態からカム環２２が収納方向（図２２の矢印Ｘと逆方向）に回転すると、フォロアピン２９ｆとフォロアピン３１ｆは上述したのと逆の順序の動きをして、１群用収納広場Ｃ１Ａ１と２群用収納部Ｃ１Ｓ２にそれぞれ戻る。
【００５７】
図２３は、２群移動枠３１が収納位置にある状態から直進案内キー３１ａが直進案内溝２９ｃに導入されるまで（図２２の（ａ）から（ｆ）に対応）の間の、２群移動枠３１のカム環２２に対する回転角変化を示すグラフであり、図２４は、カム環２２の回転角と、収納位置を「０」としたときの１群移動枠２９と２群移動枠３１の光軸方向への変位との関係を示すグラフである。なお、両グラフ中には、図２２との対応関係を示すための（ａ）ないし（ｆ）の符号を記入してある。また、両図に示した限界角度とは、カム環２２の回転角がこの角度に至るまでに直進案内キー３１ａが直進案内溝２９ｃに入らないと、１群移動枠２９と２群移動枠３１がテレ端まで達することができない回転角のことである。
【００５８】
上述のように、１群移動枠２９と２群移動枠３１が収納位置で相対回転すると、１群移動枠２９に支持されている１群固定枠３２に固着されたレンズ押さえ枠３２ａと２群移動枠３１は収納位置では接触位置Ｐで機械的に接触しているため、摩擦抵抗が問題となる。特に、１群固定枠３２は、１群移動枠２９の雌ねじ部２９ｄにねじ結合しているから、１群固定枠３２に回転が生じて光軸方向位置が狂うおそれがあるが、シャッタ押さえ環３７に滑りシート３８を固着したので、１群移動枠２９と２群移動枠３１が収納位置で相対回転しても摩擦抵抗が問題となることはない。
【００５９】
上記構成の本ズームレンズ鏡筒の収納位置から撮影位置（ズーム位置）の全体の動作は、次のようになる。収納位置では、圧縮ばね３０の力によって後方に移動付勢されている１群移動枠２９が、１群用フォロアピン２９ｆと１群用収納広場Ｃ１Ａ１との間に存在するクリアランスによって、２群移動枠３１に当接する機械的位置まで後退し、２群移動枠３１は、２群用フォロアピン３１ｆと２群用収納部Ｃ１Ｓ２との間に存在するクリアランスによって、３群枠３９と当接する機械的位置まで後退し、さらに、３群枠３９は、送りネジ４１に付いているナットに押し付けているばね４２が縮みＣＣＤ支持枠１３と機械的に接触する位置まで後退している。これらの機械的接触によって、収納長の短縮がはかられている。また、この収納位置では、カム環２２の回転伝達面２２ｄが被動面４４ａを押して引張ばね４９の力に抗してバリヤ開閉環４４をバリヤ閉方向に回動させ、開閉突起４４ｃがバリヤボス４６ａから離れているため、バリヤ板４６が撮影開口４５ａを閉じている。
【００６０】
この収納状態から回転環２０がレンズ繰出方向に回転すると、フォロアピン２１ｆ、２２ｆをそれぞれ有する付勢環２１とカム環２２は、固定筒１１内周面のカム溝１１ａの収納部１１ａ２の軌跡に従い光軸回りに回転する（図２９参照）。すると、レンズ群用カム溝Ｃ１の１群用収納広場Ｃ１Ａ１と２群用収納部Ｃ１Ｓ２に位置しているフォロアピン２９ｆ、３１ｆは、図２４のグラフに示すように、最初の間はカム環２２に対して光軸方向には相対位置を変化せず（図２４中の（ａ）点〜（ｂ）点の間を参照）、フォロアピン２９ｆとフォロアピン３１ｆが相対回転するのみである。その後、フォロアピン２１ｆ、２２ｆが撮影状態移行溝部１１ａ３に入り、付勢環２１とカム環２２が回転しながら光軸方向前方に移動することにより２群移動枠３１が３群枠３９から離れようとするのとほぼ同時に、１群移動枠２９のフォロアピン２９ｆがカム環２２に対して光軸方向後方に移動しはじめ（図２４（ｂ）参照）、その結果、１群移動枠２９が２群移動枠３１を若干後方に押圧する（この際の２群移動枠３１の変位は微量なので図２４には図示していない）。この撮影状態移行溝部１１ａ３によるカム環２２の回転の初期に、カム環２２の回転伝達面２２ｄがバリヤ開閉環４４の被動面４４ａから離れ、引張ばね４９の力により同バリヤ開閉環４４がバリヤ開方向に回動して、バリヤ閉ばね４７の力に抗してバリヤ板４６を開く。またバリヤ開動作に前後して、１群移動枠２９が２群移動枠３１に対して相対回動し、レンズ押さえ枠３２ａが滑りシート３８上を滑る。
【００６１】
さらにフォロアピン２１ｆ、２２ｆが固定筒１１内周面の撮影状態移行溝部１１ａ３内で回転すると（図２９参照）、２群移動枠３１が後方に移動しはじめ（図２４（ｃ）参照）、その後、１群移動枠２９と２群移動枠３１は図２４の（ｄ）（ｅ）に示すようにカム環２２に対して光軸方向に変位し、１群移動枠２９が２群移動枠３１より前方に変位した時（図２４中の（ｄ）点と（ｅ）点の間参照）に１群移動枠２９と２群移動枠３１の機械的接触が解かれ、続いて２群移動枠３１と３群枠３９の機械的接触が解かれ、やがて直進案内キー３１ａが直進案内溝２９ｃに嵌合する（図２４中の（ｆ）点参照）。
【００６２】
この後、フォロアピン２１ｆ、２２ｆが固定筒１１内周面のカム溝１１ａのズーム区間溝部１１ａ４のワイド端に到達するまで、１群移動枠２９と２群移動枠３１は両者の周方向間隔を一定に保ちながらワイド端まで光軸方向に移動する（図２２の（ｆ）ないし（ｊ）参照）。
【００６３】
さらに回転環２０が回転してフォロアピン２１ｆ、２２ｆが固定筒１１内周面のズーム区間溝部１１ａ４に入ると（図２９参照）、フォロアピン２１ｆ、２２ｆがズーム区間溝部１１ａ４のワイド端からテレ端側に向かって移動し、カム環２２が光軸回りに回転のみする（光軸方向には移動せず）とともに、１群移動枠２９と２群移動枠３１のフォロアピン２９ｆ、３１ｆがそれぞれ１群用ズーム区間Ｃ１Ｚ１、２群用ズーム区間Ｃ１Ｚ２のワイド端とテレ端の間を移動して、第３レンズ群Ｌ３との合成焦点距離が変化し、ズーミングがなされる。このズーミングは、図示しない周知のズームスイッチによって行われる。また、シャッタレリーズボタンが押されると、ステッピングモータが被写体距離情報に応じた角度（回転数）だけ回転してフォーカスレンズ群である第３レンズ群Ｌ３（３群枠３９）を光軸方向に移動させ、被写体に合焦させる。また、シャッタブロック３６は、被写体輝度情報に応じてシャッタブレード３６ａ（図８参照）を開閉する。
【００６４】
上述したように、付勢環２１のフォロアピン２１ｆとカム環２２のフォロアピン２２ｆは、カム溝１１ａの全域において、圧縮ばね２６の付勢力によりカム溝１１ａの後面と前面とにそれぞれ圧接されているので、フォロアピン２１ｆ、２２ｆがズーム区間溝部１１ａ４を移動中にモータ１８が停止した際に、カム環２２の固定筒１１に対するバックラッシュが除かれる。
【００６５】
１群移動枠２９が光軸方向に直進移動するとき、第１鏡筒２８は、１群移動枠２９の位置を規制しているカム溝Ｃ１と似た形状のカム溝Ｃ２により、１群移動枠２９との相対位置を変化させることなく光軸方向に移動する。また、第２鏡筒２７は、バヨネット爪２７ｃとカム環２２のバヨネット爪２４との係合関係により、カム環２２と常時光軸方向には一体に移動するので、外観に露出している第２鏡筒２７と第１鏡筒２８がともに光軸方向に直進移動する。
【００６６】
一方、カム環２２がズーム区間から収納位置方向に回転するときには、以上とは逆の動作により、第２鏡筒２７と第１鏡筒２８がともに光軸方向後方に移動し、１群移動枠２９（第１レンズ群Ｌ１）と２群移動枠３１（第２レンズ群Ｌ２）が圧縮ばね３０による後退端に位置して互いに接触し、さらに２群移動枠３１が３群枠３９と機械的に接触し、送りネジに付いているナットに押し付けているばね４２によりＣＣＤ支持枠１３に当てつくまで後退する。また、カム環２２の回転伝達面２２ｄが被動面４４ａを押して引張ばね４９の力に抗してバリヤ開閉環４４をバリヤ閉方向に回動させ、バリヤ板４６が撮影開口４５ａを閉じる。
【００６７】
［本発明の特徴部分の説明］
以上のレンズ鏡筒において、カム環（レンズ支持環）２２は、鏡筒収納位置からワイド端までは回転しながら光軸方向に移動し、ワイド端からテレ端までのズーミング区間では光軸方向に移動することなく回転のみ行う。このようなカム環２２の動作は、カム環２２の外周面後端部に設けた３本のフォロアピン（第１のカムフォロア）２２ｆと、該フォロアピン２２ｆが嵌まる、固定筒（内面カム環）１１内周面の３本のカム溝１１ａによって与えられる。上述したように、カム溝１１ａとフォロアピン２２ｆの間のバックラッシュは、付勢環２１と圧縮ばね（付勢部材）２６を用いて除去している。
【００６８】
まず、付勢環２１のフォロアピン（第２のカムフォロア）２１ｆを、カム環２２のフォロアピン２２ｆと共通のカム溝１１ａに嵌合させ、フォロアピン２１ｆとフォロアピン２２ｆがカム溝１１ａの対向する別々のガイド面ＦＳ、ＲＳ（図２９）に当接するようにしたので、構造の簡略化と小型化を図ることができる。前提として、本実施形態のカム溝１１ａは、ズーム区間溝部１１ａ４が円周方向成分のみからなっているため、このズーム区間溝部１１ａ４内でフォロアピン２２ｆの光軸方向位置を安定させるためには、圧縮ばね２６による付勢が必要であり、バックラッシュ除去用に圧縮ばね２６を設ければ、その反力を受ける部分が必要になる。本実施形態では、この反力は、圧縮ばね２６から付勢環２１に伝わり、該付勢環２１のフォロアピン２１ｆがカム溝１１ａのガイド面ＲＳに伝える。換言すれば、カム溝１１ａ自体が圧縮ばね２６の反力を受ける部分となっているので、受け部を新たに設ける必要がなく、鏡筒の構造を簡略にできる。
【００６９】
また、付勢環２１は、カム環２２と略同外径の薄肉環状体なので、小型であり、配置スペースを小さくすることができる。さらに、付勢環２１に作用するばね反力の受け部をカム溝１１ａとしたため、このように実質的にカム環２２の一部となり得るような小型の付勢環２１の採用が可能となった。そして、付勢環２１とカム環２２の結合は、付勢環２１の前面側に形成した３つの切欠部２１ｂを、カム環２２後端部のフォロアピン２２ｆの基部に嵌合させて行うため、その結合構造も簡単かつ小型である。
【００７０】
また本実施形態では、カム溝１１ａに対し、カム環２２側のフォロアピン２２ｆを被写体側（光軸方向前方）の対向ガイド面ＦＳに当接させてガイドし、付勢環２１のフォロアピン２１ｆを像面側（光軸方向後方）の対向ガイド面ＲＳに当接させてガイドしている。レンズ鏡筒において光軸方向に加わる衝撃（外力）は、レンズ鏡筒の先端側から基端側へ、つまり被写体側から像面側へ作用することが多く、この場合、カム溝１１ａ周りに着目すると、衝撃はフォロアピン２１ｆを介して対向ガイド面ＲＳで受けることになる。よって、万一この衝撃でカム溝１１ａの対向ガイド面ＲＳにフォロアピンの打痕が生じても、対向ガイド面ＲＳはカム環２２を直接にガイドするものではないので、該カム環２２の光軸方向位置精度には影響しない。カム環２２と付勢環２１のうち、その光軸方向位置が重要なのは、内部に撮影レンズを支持するカム環２２である。仮に、本実施形態とは逆にカム環２２のフォロアピン２２ｆが光軸後方の対向ガイド面ＲＳの案内を受けるものとすると、外部からの衝撃により生じた対向ガイド面ＲＳの打痕部分がカム環２２、つまり撮影レンズの光軸方向位置精度に直接に影響してしまい、望ましくない。これに対し本実施形態によれば、対向ガイド面ＲＳは、付勢環２１のフォロアピン２１ｆの受け部としての機能を果たしていれば、若干変形したとしても実用上問題にならない。
なお、図２９から分かるように、カム溝１１ａは、フォロアピン２２ｆ、２１ｆのいずれも対向ガイド面ＦＳ、ＲＳに同時に接触することはないように幅広で余裕を持っているため、外部からの衝撃でフォロアピンが対向ガイド面に衝突して実際に打痕を生じるおそれは少ない。
【００７１】
そして本発明の特徴として、各カム溝１１ａ内においてズーム区間溝部１１ａ４内よりも撮影状態移行溝部１１ａ３内の方が、カム環２２のフォロアピン２２ｆと付勢環２１のフォロアピン２１ｆの光軸方向間隔が拡がっている。これにより、ワイド端からテレ端までのズーム区間では、圧縮ばね２６により一定の強さでバックラッシュ取り用の付勢力が付与され、収納位置からワイド端までの撮影準備区間では、圧縮ばね２６が若干伸びてフォロアピン２１ｆ、２２ｆに作用する付勢力が弱まるので、収納位置とズーム区間の間の抵抗が軽減され、撮影準備状態におけるズーム駆動系の負担を減らすことができる。この作用は、撮影状態移行溝部１１ａ３の形状（傾斜）に対応して、フォロアピン２２ｆとフォロアピン２１ｆの円周方向位置を互いに異ならせたことによって得られる。すなわち、フォロアピン２１ｆ、２２ｆが光軸方向成分を含まないズーム区間溝部１１ａ４内にある限りは、その円周方向位置に関係なく互いの光軸方向位置は一定である。一方、撮影状態移行溝部１１ａ３は、収納位置（収納部１１ａ２）からズーム区間溝部１１ａ４へ向かうにつれて徐々に光軸前方へ向かう、円周方向成分と光軸方向成分を含む傾斜溝である。よって、図２９に示すような位置関係で（前側のフォロアピン２２ｆを光軸前方に位置するズーム区間溝部１１ａ４に近く、後側のフォロアピン２１ｆを光軸後方に位置する収納部１１ａ２に近く）フォロアピン２１ｆ、２２ｆをカム溝１１ａ内に配置すれば、撮影状態移行溝部１１ａ３が傾斜している分だけ、フォロアピン２１ｆ、２２ｆの光軸方向間隔が大きくなる。
【００７２】
さらに、本実施形態では、カム環２２を回転させるための回転環（回転伝達環）２０における３本の回転伝達腕２０ｂが、付勢環２１の３つの凹部２１ａに相対回転不能に（光軸方向には摺動可能に）係合しており、いわば、カム環２２と付勢環２１は回転環２０によっても結合されていることになる。よって、常に一体に回転するカム環２２と付勢環２１の結合強度にも優れている。
【００７３】
以上、図示実施形態を参照して本発明を説明したが、本発明はこれに限定されるものではない。例えば、以上の実施形態では、カム環２２と固定筒１１の間のカム溝ガイド構造に本発明を適用したが、例えば、１群移動枠２９や２群移動枠３１といった、より直接的にレンズを支持する部材と、カム環２２の間のカム溝ガイド構造にも本発明を適用することができる。また、部材の回転関係に着目すると、図示実施形態では、カムフォロアを有するカム環２２側が回転し、カム溝を有する固定筒１１側が非回転部材であったが、カムフォロアを有する部材側（例えば１群移動枠２９や２群移動枠３１）が光軸方向に直進案内され、内面カムを有する部材側（例えばカム環２２）が回転するような態様であっても本発明は適用可能である。
【００７５】
【発明の効果】
以上のように本発明によれば、簡単かつ小型でありながら、カムフォロアとカム溝の間のバックラッシュを確実に取ることができ、さらにズーム区間以外ではカムフォロアとカム溝の間のフリクションを小さくできるズームレンズ鏡筒が得られる。
【図面の簡単な説明】
【図１】本発明のズームレンズ鏡筒の一実施形態の分解斜視図である。
【図２】図１のズームレンズ鏡筒の一部の分解斜視図である。
【図３】図１のズームレンズ鏡筒の一部の分解斜視図である。
【図４】同じく、シャッタブロックが装着された２群移動枠を斜め前方から見た斜視図である。
【図５】同じく、シャッタブロックが装着された２群移動枠を斜め後方から見た斜視図である。
【図６】同じく、２群移動枠が光軸回りに回転した状態の図４と同様の斜視図である。
【図７】同じく、２群移動枠が光軸回りに回転した状態の図５と同様の斜視図である。
【図８】同じく、収納状態にあるズームレンズ鏡筒の上半部の拡大縦断側面図である。
【図９】同じく、収納状態にあるズームレンズ鏡筒の上半部の縦断側面図である。
【図１０】同じく、ワイド状態にあるズームレンズ鏡筒の上半部の縦断側面図である。
【図１１】同じく、テレ状態にあるズームレンズ鏡筒の上半部の縦断側面図である。
【図１２】同じく、カム環と回転環の拡大分解斜視図である。
【図１３】同じく、カム環と付勢環が収納状態にある場合の回転環と付勢環とカム環の結合状態を示す斜視図である。
【図１４】同じく、カム環と付勢環が撮影状態にある場合の回転環と付勢環とカム環の結合状態を示す斜視図である。
【図１５】同じく、カム環と付勢環が撮影状態にある場合の回転環と付勢環とカム環の結合状態を示す縦断側面図である。
【図１６】同じく、カム環と付勢環が撮影状態にある場合の回転環と付勢環とカム環の結合状態を示す斜視図である。
【図１７】同じく、カム環の外周面を示す展開図である。
【図１８】同じく、カム環と付勢環と回転環を分解して示す展開図である。
【図１９】同じく、カム環と付勢環と回転環が収納状態で結合した状態を示す展開図である。
【図２０】同じく、カム環と付勢環と回転環が撮影状態で結合した状態を示す展開図である。
【図２１】同じく、カム環の内周面を示す展開図である。
【図２２】同じく、カム環が収納位置からワイド位置まで回転した場合の、１群移動枠と２群移動枠のカム環に対する移動状態を示す展開図である。
【図２３】同じく、２群移動枠のカム環に対する回転角変化を示すグラフである。
【図２４】同じく、カム環回転角と、収納位置を「０」としたときの１群移動枠と２群移動枠の光軸方向への変位との関係を示すグラフである。
【図２５】同じく、収納位置において、１群移動枠の内部に２群移動枠が嵌合した状態を示す斜視図である。
【図２６】同じく、直進案内キー導入位置において、１群移動枠の内部に２群移動枠が嵌合した状態を示す斜視図である。
【図２７】同じく、収納位置において、１群移動枠の内部に２群移動枠が嵌合した状態を示す正面図である。
【図２８】同じく、直進案内キー導入位置において、１群移動枠の内部に２群移動枠が嵌合した状態を示す正面図である。
【図２９】同じく、固定筒の内周面の展開図である。
【符号の説明】
１１      固定筒（内面カム環）
１１ａ    カム溝
１１ａ１  直線溝部
１１ａ２  収納部
１１ａ３  撮影状態移行溝部
１１ａ４  ズーム区間溝部
１１ｂ    外周筒状部
１１ｃ    ギヤ収納部
１１ｄ    直進案内溝
１２      シャフト押さえ
１３      ＣＣＤ支持枠
１３ａ    切欠孔
１４      ローパスフィルタ
１５      パッキン
１６      ＣＣＤ
１７      ＣＣＤ押さえ板
１８      モータ
１９      ギヤ列ユニット
１９ａ    駆動ギヤ
２０      回転環（回転伝達環）
２０ａ    ギヤ部
２０ｂ    回転伝達腕
２０ｃ    回転伝達溝（キー溝）
２１      付勢環
２１ａ    凹部
２１ｂ    切欠部
２１ｃ    突起
２１ｆ    フォロアピン（第２のカムフォロア）
２２      カム環（レンズ支持環）
２２ａ    嵌合用凹部
２２ｂ    キー突起
２２ｄ    回転伝達面
２２ｆ    フォロアピン（第１のカムフォロア）
２２ｋ    切り欠き
２３      環状壁（外方フランジ）
２４      バヨネット爪
２６      圧縮ばね
２７      第２鏡筒
２７ａ    直進案内キー
２７ｂ    直進案内溝
２７ｃ    バヨネット爪
２８      第１鏡筒
２８ａ    係合突起
２８ｂ    内方フランジ
２８ｃ    ばね支持用突起
２８ｄ    直進案内キー
２８ｅ    １群移動枠案内部材
２８ｆ    フォロアピン
２８ｈ    ばね掛け突起
２９      １群移動枠
２９ａ    直進案内溝
２９ｂ    ばね支持孔
２９ｃ    直進案内溝
２９ｄ    雌ねじ部
２９ｆ    フォロアピン
２９ｇ    内方フランジ
２９ｈ    回転許容部
３０      圧縮ばね
３１      ２群移動枠
３１ａ    直進案内キー
３１ｂ    円筒部
３１ｃ    環状凹部
３１ｄ    第１の切欠部
３１ｅ    第２の切欠部
３１ｆ    フォロアピン
３１ｇ    突出片
３１ｈ    係合突部
３１ｉ    係止孔
３１ｊ    ＦＰＣ支持部材
３２      １群固定枠
３２ａ    レンズ押さえ枠
３３      支持部材
３４      支持部材
３５      シャッタ支持環
３５ａ    環状部
３５ｂ    支持部材
３５ｃ    フレキ固定部材
３５ｄ    中心孔
３５ｅ    直進案内キー
３６      シャッタブロック
３６ａ    シャッタブレード
３７      シャッタ押さえ環
３７ａ    係合片
３８      滑りシート
３９      ３群枠
４０      直進案内ロッド
４１      送りねじ
４２      ばね
４３      バリヤブロック
４４      バリヤ開閉環
４４ａ    被動面
４４ｂ    ばね掛け突起
４４ｃ    開閉突起
４５      バリヤ支持枠
４５ａ    撮影開口
４６      バリヤ板
４６ａ    バリヤボス
４７      バリヤ閉ばね
４８      バリヤ取付板
４８ａ    逃げ溝
４９      引張ばね
Ｃ１      レンズ群用カム溝
Ｃ１ｅ    挿入端部
Ｃ１Ｚ１  １群用ズーム区間
Ｃ１Ｚ２  ２群用ズーム区間
Ｃ１Ａ１  １群用収納広場
Ｃ１Ａ２  ２群用リード部
Ｃ１Ｓ２  ２群用収納部
Ｃ２      鏡筒用カム溝
Ｃ２ｅ    挿入端部
Ｃ２Ｚ１  １群用ズーム区間対応部
Ｃ２Ｚ２  ２群用ズーム区間対応部
Ｃ２Ｂ    バリヤ開閉区間
Ｃ２Ｅ    頂点部
Ｆ        フレキシブルプリント基板
ＦＳ  ＲＳ  対向ガイド面
Ｌ１      第１レンズ群
Ｌ２      第２レンズ群
Ｌ３      第３レンズ群
Ｓ        スリット
【図１】
0003650599.tif 000002
【図２】
0003650599.tif 000003
【図３】
0003650599.tif 000004
【図４】
0003650599.tif 000005
【図５】
0003650599.tif 000006
【図６】
0003650599.tif 000007
【図７】
0003650599.tif 000008
【図８】
0003650599.tif 000009
【図９】
0003650599.tif 000010
【図１０】
0003650599.tif 000011
【図１１】
0003650599.tif 000012
【図１２】
0003650599.tif 000013
【図１３】
0003650599.tif 000014
【図１４】
0003650599.tif 000015
【図１５】
0003650599.tif 000016
【図１６】
0003650599.tif 000017
【図１７】
0003650599.tif 000018
【図１８】
0003650599.tif 000019
【図１９】
0003650599.tif 000020
【図２０】
0003650599.tif 000021
【図２１】
0003650599.tif 000022
【図２２】
0003650599.tif 000023
【図２３】
0003650599.tif 000024
【図２４】
0003650599.tif 000025
【図２５】
0003650599.tif 000026
【図２６】
0003650599.tif 000027
【図２７】
0003650599.tif 000028
【図２８】
0003650599.tif 000029
【図２９】
0003650599.tif 000030